(57)【要約】【課題】電子のラブと陽子のラブが電気の光子と磁気の光子を作る変換率は、高エネルギーの場では変化するのか、一定なのか。中性子の電子のラブと陽子のラブはどのように行動しているのか。【解決手段】どのようなエネルギーの場においても、仕事の変換率とエネルギーの変換率と軌道エネルギーの変換率は一定である事を導き出す。もし、中性子の電子のラブと陽子のラブの変換率もその値であれば、中性子の電子のラブと陽子のラブが作る磁気の光子１個のエネルギーと電気の光子１個のエネルギーは正しい事になる。中性子の電子のラブと陽子のラブの自転軌道と公転軌道は正しい事になる。中性子の電子のラブと陽子のラブは一緒に公転している。しかし、中性子の電子のラブと、中性子の陽子のラブは別々に自転している。【選択図】図１
2007236186.tif 000002
【特許請求の範囲】
【請求項１】
電子のラブの変換率について。
▲１▼２００６年１１月１５日に提出した特許願の「請求項１２」に記載した、▲１▼電子のラブが電気の光子を作る場合、は、電子のラブの１公転の仕事が電気の光子１個のエネルギーを作ると考える場合である。
電子のラブの１公転の仕事が電気の光子１個のエネルギーを作る変換率は、４．５３２×１０−１９÷軌道です。
▲１▼′２００６年１１月１５日に提出した特許願の「請求項１２」に記載した、▲２▼電子のラブが磁気の光子を作る場合、は、電子のラブの１自転の仕事が磁気の光子１個のエネルギーを作ると考える場合である。
電子のラブの１自転の仕事が磁気の光子１個のエネルギーを作る変換率は、４．５３２×１０−１９÷軌道です。
▲２▼電子のラブの公転の仕事が電気の光子１個の仕事を作ると考える場合。
電子のラブの公転の仕事×仕事の変換率＝電気の光子の仕事
電子のラブの１公転の仕事×仕事の変換率＝電気の光子１個の仕事
電子のラブのエネルギー×走る距離×仕事の変換率＝電気の光子１個のエネルギー×走る距離
電子のラブのエネルギー×３．１４×公転軌道×仕事の変換率＝電気の光子１個のエネルギー×３．１４×公転軌道
３．１４×電子のラブの軌道エネルギー×仕事の変換率＝３．１４×電気の光子の軌道エネルギー
３．１４×８．６６５×１０−２４Ｊｍ×仕事の変換率＝３．１４×１．２３３×１０−４１Ｊｍ
仕事の変換率＝１．４２３×１０−１８
よって、電子のラブが電気の光子１個を作る仕事の変換率はどのようなエネルギーの場においても、一定であり、仕事の変換率＝１．４２３×１０−１８である。
▲２▼′電子のラブの自転の仕事が磁気の光子１個の仕事を作ると考える場合。
電子のラブの自転の仕事×仕事の変換率＝磁気の光子の仕事
電子のラブの１自転の仕事×仕事の変換率＝磁気の光子１個の仕事
電子のラブのエネルギー×電子のラブの自転軌道×仕事の変換率＝磁気の光子１個のエネルギー×自転軌道
電子のラブのエネルギー×３．１４×公転軌道÷１公転するときの自転回数×仕事の変換率＝磁気の光子１個のエネルギー×自転軌道
電子のラブのエネルギー×３．１４×公転軌道÷（７．９６×１０７自転）×仕事の変換率＝磁気の光子１個の軌道エネルギー
電子のラブの軌道エネルギー×３．１４÷（７．９６×１０７自転）×仕事の変換率＝磁気の光子１個の軌道エネルギー
８．６６５×１０−２４Ｊｍ×３．１４÷（７．９６×１０７自転）×仕事の変換率＝６．１１２×１０−５７Ｊｍ
仕事の変換率＝１．７８８×１０−２６
よって、電子のラブが磁気の光子１個を作る仕事の変換率はどのようなエネルギーの場においても、一定であり、仕事の変換率＝１．７８８×１０−２６である。
▲３▼電子のラブのエネルギーが電気の光子１個のエネルギーを作ると考える場合。
電子のラブのエネルギー×エネルギーの変換率＝電気の光子１個のエネルギー
公転軌道が１０ａｍの場合、電子のラブのエネルギーは、８．６６５×１０−２４Ｊｍ÷１０ａｍです。
電気の光子１個のエネルギーは、１．２３３×１０−４１Ｊｍ÷１０ａｍです。
それで、
電子のラブのエネルギー×エネルギーの変換率＝電気の光子１個のエネルギー
８．６６５×１０−２４Ｊｍ÷１０ａｍ×エネルギーの変換率＝１．２３３×１０−４１Ｊｍ÷１０ａｍ
エネルギーの変換率＝１．４２３×１０−１８
よって、電子のラブが電気の光子１個を作るエネルギーの変換率はどのようなエネルギーの場においても、一定であり、エネルギーの変換率＝１．４２３×１０−１８である。
▲３▼′電子のラブのエネルギーが磁気の光子１個のエネルギーを作ると考える場合。
電子のラブのエネルギー×エネルギーの変換率＝電気の光子１個のエネルギー
公転軌道が１０ａｍの場合、電子のラブのエネルギーは、８．６６５×１０−２４Ｊｍ÷１０ａｍです。
磁気の光子１個のエネルギーは、１．５４９×１０−４９Ｊｍ÷１０ａｍです。
それで、
電子のラブのエネルギー×エネルギーの変換率＝磁気の光子１個のエネルギー
８．６６５×１０−２４Ｊｍ÷１０ａｍ×エネルギーの変換率＝１．５４９×１０−４９Ｊｍ÷１０ａｍ
エネルギーの変換率＝１．７８８×１０−２６
よって、電子のラブが磁気の光子１個を作るエネルギーの変換率はどのようなエネルギーの場においても、一定であり、エネルギーの変換率＝１．７８８×１０−２６である。
▲４▼電子のラブの軌道エネルギーが電気の光子１個の軌道エネルギーを作ると考える場合。
電子のラブの軌道エネルギー×軌道エネルギーの変換率＝電気の光子１個の軌道エネルギー
電子のラブの軌道エネルギーは、８．６６５×１０−２４Ｊｍです。
電気の光子１個の軌道エネルギーは、１．２３３×１０−４１Ｊｍです。
それで、
電子のラブの軌道エネルギー×軌道エネルギーの変換率＝電気の光子１個の軌道エネルギー
８．６６５×１０−２４Ｊｍ×軌道エネルギーの変換率＝１．２３３×１０−４１Ｊｍ
軌道エネルギーの変換率＝１．４２３×１０−１８
よって、電子のラブが電気の光子１個を作る軌道エネルギーの変換率はどのようなエネルギーの場においても、一定であり、軌道エネルギーの変換率＝１．４２３×１０−１８である。
▲４▼′電子のラブの自転の軌道エネルギーが磁気の光子１個の軌道エネルギーを作ると考える場合。
電子のラブの自転の軌道エネルギー×軌道エネルギーの変換率＝磁気の光子１個の軌道エネルギー
磁気の光子１個のエネルギー＝１．５４９×１０−４９Ｊｍ÷公転軌道
磁気の光子１個の軌道エネルギー＝磁気の光子１個のエネルギー×自転軌道＝１．５４９×１０−４９Ｊｍ÷公転軌道×自転軌道
電子のラブの自転の軌道エネルギー＝電子のラブのエネルギー×自転軌道
それで、
電子のラブの自転の軌道エネルギー×軌道エネルギーの変換率＝磁気の光子１個の軌道エネルギー
電子のラブのエネルギー×自転軌道×軌道エネルギーの変換率＝１．５４９×１０−４９Ｊｍ÷公転軌道×自転軌道
電子のラブのエネルギー×公転軌道×自転軌道×軌道エネルギーの変換率＝１．５４９×１０−４９Ｊｍ×自転軌道
８．６６５×１０−２４Ｊｍ×軌道エネルギーの変換率＝１．５４９×１０−４９Ｊｍ
軌道エネルギーの変換率＝１．７８８×１０−２６
公転軌道が１０ａｍの場合。
自転軌道＝３．１４×１０ａｍ÷（７．９６×１０７自転）＝３．９４５×１０ａ−８ｍ
８．６６５×１０−２４Ｊｍ×自転軌道×軌道エネルギーの変換率＝１．５４９×１０−４９Ｊｍ×自転軌道
８．６６５×１０−２４Ｊｍ×３．９４５×１０ａ−８ｍ×軌道エネルギーの変換率＝１．５４９×１０−４９Ｊｍ×３．９４５×１０ａ−８ｍ
軌道エネルギーの変換率＝１．７８８×１０−２６
よって、電子のラブが磁気の光子１個を作る軌道エネルギーの変換率はどのようなエネルギーの場においても、一定であり、軌道エネルギーの変換率＝１．７８８×１０−２６である。
○これらの事から、
電子のラブが電気の光子１個を作る変換率＝仕事の変換率＝エネルギーの変換率＝軌道エネルギーの変換率＝１．４２３×１０−１８＝一定であり、これを、電子のラブが電気の光子１個を作る変換率定数と名づける。
電子のラブが磁気の光子１個を作る変換率＝仕事の変換率＝エネルギーの変換率＝軌道エネルギーの変換率＝１．７８８×１０−２６＝一定であり、これを、電子のラブが磁気の光子１個を作る変換率定数と名づける。
【請求項２】
陽子のラブの変換率について。
▲１▼２００６年１１月１５日に提出した特許願の「請求項１３」に記載した、▲１▼陽子のラブが電気の光子を作る場合、は、陽子のラブの１公転の仕事が電気の光子１個のエネルギーを作ると考える場合である。
陽子のラブの１公転の仕事が電気の光子１個のエネルギーを作る変換率は、２．４７１×１０−２２÷軌道です。
▲１▼′２００６年１１月１５日に提出した特許願の「請求項１３」に記載した、▲２▼陽子のラブが磁気の光子を作る場合、は、陽子のラブの１自転の仕事が磁気の光子１個のエネルギーを作ると考える場合である。
陽子のラブの１自転の仕事が磁気の光子１個のエネルギーを作る変換率は、２．４７１×１０−２２÷軌道です。
▲２▼陽子のラブの公転の仕事が電気の光子１個の仕事を作ると考える場合。
陽子のラブの１公転の仕事×仕事の変換率＝電気の光子１個の仕事
陽子のラブのエネルギー×走る距離×仕事の変換率＝電気の光子１個のエネルギー×走る距離
陽子のラブのエネルギー×３．１４×公転軌道×仕事の変換率＝電気の光子１個のエネルギー×３．１４×公転軌道
３．１４×陽子のラブの軌道エネルギー×仕事の変換率＝３．１４×電気の光子１個の軌道エネルギー
３．１４×８．６６５×１０−２４Ｊｍ×仕事の変換率＝３．１４×６．７２４×１０−４５Ｊｍ
仕事の変換率＝７．７６×１０−２２
よって、陽子のラブが電気の光子１個を作る仕事の変換率はどのようなエネルギーの場においても、一定であり、仕事の変換率＝７．７６×１０−２２である。
▲２▼′陽子のラブの自転の仕事が磁気の光子１個の仕事を作ると考える場合。
陽子のラブの自転の仕事×仕事の変換率＝磁気の光子の仕事
陽子のラブの１自転の仕事×仕事の変換率＝磁気の光子１個の仕事
陽子のラブのエネルギー×陽子のラブの自転軌道×仕事の変換率＝磁気の光子１個のエネルギー×自転軌道
陽子のラブのエネルギー×３．１４×公転軌道÷１公転するときの自転回数×仕事の変換率＝磁気の光子１個のエネルギー×自転軌道
陽子のラブのエネルギー×３．１４×公転軌道÷（４．３４×１０４自転）×仕事の変換率＝磁気の光子１個の軌道エネルギー
陽子のラブの軌道エネルギー×３．１４÷（４．３４×１０４自転）×仕事の変換率＝磁気の光子１個の軌道エネルギー
８．６６５×１０−２４Ｊｍ×３．１４÷（４．３４×１０４自転）×仕事の変換率＝１．１２１×１０−５３Ｊｍ
仕事の変換率＝１．７８８×１０−２６
よって、陽子のラブの１自転の仕事の変換率はどのようなエネルギーの場においても、一定であり、仕事の変換率＝１．７８８×１０−２６である。
▲３▼陽子のラブのエネルギーが電気の光子１個のエネルギーを作ると考える場合。
陽子のラブのエネルギー×エネルギーの変換率＝電気の光子１個のエネルギー
公転軌道が１０ａｍの場合、陽子のラブのエネルギーは、８．６６５×１０−２４Ｊｍ÷１０ａｍです。
陽子のラブが作る、電気の光子１個のエネルギーは、６．７２４×１０−４５Ｊｍ÷１０ａｍです。
それで、
陽子のラブのエネルギー×エネルギーの変換率＝電気の光子１個のエネルギー
８．６６５×１０−２４Ｊｍ÷１０ａｍ×エネルギーの変換率＝６．７２４×１０−４５Ｊｍ÷１０ａｍ
エネルギーの変換率＝７．７６×１０−２２
よって、陽子のラブが電気の光子１個を作るエネルギーの変換率はどのようなエネルギーの場においても、一定であり、エネルギーの変換率＝１．４２３×１０−１８である。
▲３▼′陽子のラブのエネルギーが磁気の光子１個のエネルギーを作ると考える場合。
陽子のラブのエネルギー×エネルギーの変換率＝電気の光子１個のエネルギー
公転軌道が１０ａｍの場合、陽子のラブのエネルギーは、８．６６５×１０−２４Ｊｍ＋１０ａｍです。
陽子のラブが作る、磁気の光子１個のエネルギーは、１．５４９×１０−４９Ｊｍ÷公転軌道＝１．５４９×１０−４９Ｊｍ÷１０ａｍです。
それで、
陽子のラブのエネルギー×エネルギーの変換率＝磁気の光子１個のエネルギー
８．６６５×１０−２４Ｊｍ÷１０ａｍ×エネルギーの変換率＝１．５４９×１０−４９Ｊｍ÷１０ａｍ
エネルギーの変換率＝１．７８８×１０−２６
よって、陽子のラブが磁気の光子１個を作るエネルギーの変換率はどのようなエネルギーの場においても、一定であり、エネルギーの変換率＝１．７８８×１０−２６である。
▲４▼陽子のラブの軌道エネルギーが電気の光子１個の軌道エネルギーを作ると考える場合。
陽子のラブの軌道エネルギー×軌道エネルギーの変換率＝電気の光子１個の軌道エネルギー
陽子のラブの軌道エネルギーは、８．６６５×１０−２４Ｊｍです。
陽子のラブが作る、電気の光子１個の軌道エネルギーは、６．７２４×１０−４５Ｊｍです。
それで、
陽子のラブの軌道エネルギー×軌道エネルギーの変換率＝電気の光子１個の軌道エネルギー
８．６６５×１０−２４Ｊｍ×軌道エネルギーの変換率＝６．７２４×１０−４５Ｊｍ
軌道エネルギーの変換率＝７．７６×１０−２２
よって、陽子のラブが電気の光子１個を作る軌道エネルギーの変換率はどのようなエネルギーの場においても、一定であり、軌道エネルギーの変換率＝７．７６×１０−２２である。
▲４▼′陽子のラブの自転の軌道エネルギーが磁気の光子１個の軌道エネルギーを作ると考える場合。
陽子のラブの自転の軌道エネルギー×軌道エネルギーの変換率＝磁気の光子１個の軌道エネルギー
陽子のラブが作る、磁気の光子１個のエネルギー＝１．５４９×１０−４９Ｊｍ÷公転軌道
磁気の光子１個の軌道エネルギー＝磁気の光子１個のエネルギー×自転軌道＝１．５４９×１０−４９Ｊｍ÷公転軌道×自転軌道
陽子のラブの自転の軌道エネルギー＝陽子のラブのエネルギー×自転軌道
それで、
陽子のラブの自転の軌道エネルギー×軌道エネルギーの変換率＝磁気の光子１個の軌道エネルギー
陽子のラブのエネルギー×自転軌道×軌道エネルギーの変換率＝１．５４９×１０−４９Ｊｍ÷公転軌道×自転軌道
陽子のラブのエネルギー×公転軌道×自転軌道×軌道エネルギーの変換率＝１．５４９×１０−４９Ｊｍ×自転軌道
８．６６５×１０−２４Ｊｍ×軌道エネルギーの変換率＝１．５４９×１０−４９Ｊｍ
軌道エネルギーの変換率＝１．７８８×１０−２６
公転軌道が１０ａｍの場合。
自転軌道＝３．１４×１０ａｍ÷（７．９６×１０７自転）＝３．９４５×１０ａ−８ｍ
８．６６５×１０−２４Ｊｍ×自転軌道×軌道エネルギーの変換率＝１．５４９×１０−４９Ｊｍ×自転軌道
８．６６５×１０−２４Ｊｍ×３．９４５×１０ａ−８ｍ×軌道エネルギーの変換率＝１．５４９×１０−４９Ｊｍ×３．９４５×１０ａ−８ｍ
軌道エネルギーの変換率＝１．７８８×１０−２６
よって、陽子のラブが磁気の光子１個を作る軌道エネルギーの変換率はどのようなエネルギーの場においても、一定であり、軌道エネルギーの変換率＝１．７８８×１０−２６である。
○これらの事から、
陽子のラブが電気の光子１個を作る変換率＝仕事の変換率＝エネルギーの変換率＝軌道エネルギーの変換率＝７．７６×１０−２２＝一定であり、これを、陽子のラブが電気の光子１個を作る変換率定数と名づける。
陽子のラブが磁気の光子１個を作る変換率＝仕事の変換率＝エネルギーの変換率＝軌道エネルギーの変換率＝１．７８８×１０−２６＝一定であり、これを、陽子のラブが磁気の光子１個を作る変換率定数と名づける。
これを表にする。
2007236186.tif 000006
【請求項３】
中性子の磁気モーメントはどのようにできるか。
電子のラブが１自転で作る磁気の光子１個のエネルギー＝６．１１２×１０−５７Ｊｍ÷自転軌道＝１．５４９×１０−４９Ｊｍ÷公転軌道です。
陽子のラブが１自転で作る磁気の光子１個のエネルギー＝１．１２１×１０−５３Ｊｍ÷自転軌道＝１．５４９×１０−４９Ｊｍ÷公転軌道です。
中性子の電子のラブの公転軌道と中性子の陽子のラブの公転軌道は等しいです。
それで、電子のラブが１自転で作る磁気の光子１個のエネルギーと陽子のラブが１自転で作る磁気の光子１個のエネルギーは等しいです。
中性子の電子のラブが作る磁気の光子１個のエネルギーと中性子の陽子のラブが作る磁気の光子１個のエネルギーは等しく回転方向が反対であるから相殺する。
中性子の電子のラブは１公転するとき７．９６×１０７回自転する。
中性子の陽子のラブは１公転するとき４．３４×１０４回自転する。
それで、１公転するとき相殺されず残る磁気の光子の数は、
７．９６×１０７回：４．３４×１０４回＝１．８３４×１０３：１です。
１束で、１．８３４×１０３個×４．３４×１０４公転＝７．９６×１０７個です。
この磁気の光子のエネルギーが中性子の磁気モーメントになる。
１束で７．９６×１０７個の磁気の光子のエネルギーが中性子の磁気の光子のエネルギーになる。
【請求項４】
中性子の電子のラブと陽子のラブが作る１個の磁気の光子のエネルギーはいくらか。
１束で７．９６×１０７個の磁気の光子のエネルギーは中性子の磁気の光子のエネルギーですから、１個の磁気の光子のエネルギーは、
９．６６２×１０−２７Ｊ÷（７．９６×１０７個）＝１．２１４×１０−３４Ｊ
中性子の電子のラブと陽子のラブが作る１個の磁気の光子のエネルギーは、１．２１４×１０−３４Ｊです。
【請求項５】
中性子の電子のラブの公転軌道はいくらか。中性子の陽子のラブの公転軌道はいくらか。中性子の電子のラブの自転軌道はいくらか。中性子の陽子のラブの自転軌道はいくらか。
・中性子の電子のラブの自転軌道はいくらか。
１個の磁気の光子のエネルギーは、１．２１４×１０−３４Ｊですから、この磁気の光子の自転軌道は、
６．１１２×１０−５７Ｊｍ÷磁気の光子１個のエネルギー＝６．１１２×１０−５７Ｊｍ÷（１．２１４×１０−３４Ｊ）＝５．０３５×１０−２３ｍです。
・中性子の電子のラブの公転軌道はいくらか。中性子の陽子のラブの公転軌道はいくらか。
この磁気の光子の公転軌道は、
１．５４９×１０−４９Ｊｍ÷磁気の光子１個のエネルギー＝１．５４９×１０−４９Ｊｍ÷（１．２１４×１０−３４Ｊ）＝１．２７６×１０−１５ｍです。
中性子の電子のラブの公転軌道は１．２７６×１０−１５ｍです。
中性子の陽子のラブの公転軌道は１．２７６×１０−１５ｍです。
・中性子の陽子のラブの自転軌道はいくらか。
中性子の陽子のラブの自転軌道は、
３．１４×公転軌道÷１公転するときの自転数＝３．１４×１．２７６×１０−１５ｍ÷（４．３４×１０４自転）＝９．２３２×１０−２０ｍです。
又は、
中性子の陽子のラブの自転軌道は、
１．１２１×１０−５３Ｊｍ÷磁気の光子１個のエネルギー＝１．１２１×１０−５３Ｊｍ÷（１．２１４×１０−３４Ｊ）＝９．２３４×１０−２０ｍです。
中性子の陽子のラブの自転軌道は９．２３４×１０−２０ｍです。
【請求項６】
中性子の電子のラブの秒速はいくらか。中性子の陽子のラブの秒速はいくらか。中性子の電子のラブが１公転で作る電気の光子１個のエネルギーはいくらか。中性子の陽子のラブが１公転で作る電気の光子１個のエネルギーはいくらか。中性子の電子のラブが作る１束の磁気の光子のエネルギーはいくらか。中性子の陽子のラブが作る１束の磁気の光子のエネルギーはいくらか。中性子の電子のラブが１秒間に作る磁気の光子のエネルギーはいくらか。中性子の陽子のラブが１秒間に作る磁気の光子のエネルギーはいくらか。
・中性子の電子のラブの秒速はいくらか。
中性子の電子のラブの秒速は、
３．１４×公転軌道×１秒間の公転数＝３．１４×１．２７６×１０−１５ｍ×４．３４×１０４公転×７．９６×１０７束＝１．３８４×１０−２ｍです。
・中性子の陽子のラブの秒速はいくらか。
中性子の陽子のラブの秒速は、
３．１４×公転軌道×１秒間の公転数＝３．１４×１．２７６×１０−１５ｍ×４．３４×１０４公転×７．９６×１０７束＝１．３８４×１０−２ｍです。
・中性子の電子のラブが１公転で作る電気の光子１個のエネルギーはいくらか。
中性子の電子のラブが１公転で作る電気の光子１個のエネルギーは、
磁気の光子が７．９６×１０７個分ですから、
磁気の光子１個のエネルギー×７．９６×１０７個＝１．２１４×１０−３４Ｊ×７．９６×１０７個＝９．６６３×１０−２７Ｊです。
・中性子の陽子のラブが１公転で作る電気の光子１個のエネルギーはいくらか。
中性子の陽子のラブが１公転で作る電気の光子１個のエネルギーは、
磁気の光子が４．３４×１０４個分ですから、
磁気の光子１個のエネルギー×４．３４×１０４個＝１．２１４×１０−３４Ｊ×４．３４×１０４個＝５．２６９×１０−３０Ｊです。
・中性子の電子のラブが作る１束の磁気の光子のエネルギーはいくらか。
中性子の電子のラブが作る１束の磁気の光子のエネルギーは、
１束の磁気の光子の数×１個の磁気の光子のエネルギー＝７．９６×１０７個×４．３４×１０４公転×１．２１４×１０−３４Ｊ＝４．１９４×１０−２２Ｊです。
・中性子の陽子のラブが作る１束の磁気の光子のエネルギーはいくらか。
中性子の陽子のラブが作る１束の磁気の光子のエネルギーは、
１束の磁気の光子の数×１個の磁気の光子のエネルギー＝４．３４×１０４個×４．３４×１０４公転×１．２１４×１０−３４Ｊ＝２．２８７×１０−２５Ｊです。
・中性子の電子のラブが１秒間に作る磁気の光子のエネルギーはいくらか。
中性子の電子のラブが１秒間に作る磁気の光子のエネルギーは７．９６×１０７束ですから、
１束の磁気の光子のエネルギー×７．９６×１０７束＝４．１９４×１０−２２Ｊ×７．９６×１０７束＝３．３３８×１０−１４Ｊです。
・中性子の陽子のラブが１秒間に作る磁気の光子のエネルギーはいくらか。
中性子の陽子のラブが１秒間に作る磁気の光子のエネルギーは７．９６×１０７束ですから、
１束の磁気の光子のエネルギー×７．９６×１０７束＝２．２８７×１０−２５Ｊ×７．９６×１０７束＝１．８２×１０−１７Ｊです。
【請求項７】
中性子の電子のラブのエネルギーはいくらか。中性子の陽子のラブのエネルギーはいくらか。中性子の電子のラブが作る磁気の光子の軌道エネルギーはいくらか。中性子の陽子のラブが作る磁気の光子の軌道エネルギーはいくらか。中性子の電子のラブが作る電気の光子の軌道エネルギーはいくらか。中性子の陽子のラブが作る電気の光子の軌道エネルギーはいくらか。中性子の電子のラブが作る磁気の光子１個のエネルギーを求める式はどのようであるか。中性子の陽子のラブが作る磁気の光子１個のエネルギーを求める式はどのようであるか。中性子の電子のラブが作る電気の光子１個のエネルギーを求める式はどのようであるか。中性子の陽子のラブが作る電気の光子１個のエネルギーを求める式はどのようであるか。
・中性子の電子のラブのエネルギーはいくらか。
中性子の電子のラブのエネルギーは、
ラブの軌道エネルギー÷ラブの公転軌道＝８．６６５×１０−２４Ｊｍ÷（１．２７６×１０−１５ｍ）＝６．７９１×１０−９Ｊです。
・中性子の陽子のラブのエネルギーはいくらか。
中性子の陽子のラブのエネルギーは、
ラブの軌道エネルギー÷ラブの公転軌道＝８．６６５×１０−２４Ｊｍ÷（１．２７６×１０−１５ｍ）＝６．７９１×１０−９Ｊです。
・中性子の電子のラブが作る磁気の光子１個の軌道エネルギーはいくらか。
中性子の電子のラブが作る磁気の光子の軌道エネルギーは、
磁気の光子１個のエネルギー×自転軌道＝１．２１４×１０−３４Ｊ×５．０３５×１０−２３ｍ＝６．１１２×１０−５７Ｊｍです。
・中性子の陽子のラブが作る磁気の光子の軌道エネルギーはいくらか。
中性子の陽子のラブが作る磁気の光子の軌道エネルギーは、
磁気の光子１個のエネルギー×自転軌道＝１．２１４×１０−３４Ｊ×９．２３２×１０−２０ｍ＝１．１２１×１０−５３Ｊｍです。
・中性子の電子のラブが作る電気の光子１個の軌道エネルギーはいくらか。
中性子の電子のラブが作る電気の光子１個の軌道エネルギーは、
電気の光子１個のエネルギー×公転軌道＝９．６６３×１０−２７Ｊ×１．２７６×１０−１５ｍ＝１．２３３×１０−４１Ｊｍです。
・中性子の陽子のラブが作る電気の光子１個の軌道エネルギーはいくらか。
中性子の陽子のラブが作る電気の光子１個の軌道エネルギーは、
電気の光子１個のエネルギー×公転軌道＝５．２６９×１０−３０Ｊ×１．２７６×１０−１５ｍ＝６．７２３×１０−４５Ｊｍです。
・中性子の電子のラブが作る磁気の光子１個のエネルギーを求める式はどのようであるか。
磁気の光子１個のエネルギー＝中性子の電子のラブが作る磁気の光子１個の軌道エネルギー÷自転軌道＝６．１１２×１０−５７Ｊｍ÷自転軌道
又は、
６．１１２×１０−５７Ｊｍ÷自転軌道＝６．１１２×１０−５７Ｊｍ÷｛３．１４×公転軌道÷（７．９６×１０７自転）｝＝１．５４９×１０−４９Ｊｍ÷公転軌道
・中性子の陽子のラブが作る磁気の光子１個のエネルギーを求める式はどのようであるか。
磁気の光子１個のエネルギー＝中性子の陽子のラブが作る磁気の光子１個の軌道エネルギー÷自転軌道＝１．１２１×１０−５３Ｊｍ÷自転軌道
又は、
１．１２１×１０−５３Ｊｍ÷自転軌道＝１．１２１×１０−５３Ｊｍ÷｛３．１４×公転軌道÷（４．３４×１０４自転）｝＝１．５４９×１０−４９Ｊｍ÷公転軌道
・中性子の電子のラブが作る電気の光子１個のエネルギーを求める式はどのようであるか。
電気の光子１個の軌道エネルギー÷公転軌道＝１．２３３×１０−４１Ｊｍ÷公転軌道
・中性子の陽子のラブが作る電気の光子１個のエネルギーを求める式はどのようであるか。
電気の光子１個の軌道エネルギー÷公転軌道＝６．７２３×１０−４５Ｊｍ÷公転軌道
【請求項８】
中性子の電子のラブの変換率はいくらか。
▲１▼中性子の電子のラブの公転の仕事が電気の光子１個のエネルギーを作ると考える場合。
中性子の電子のラブの公転の仕事×変換率＝電気の光子のエネルギー
中性子の電子のラブの１公転の仕事×変換率＝電気の光子１個のエネルギー
中性子の電子のラブのエネルギー×１公転する距離×変換率＝電気の光子１個のエネルギー
中性子の電子のラブのエネルギー×３．１４×公転軌道×変換率＝電気の光子１個のエネルギー
６．７９１×１０−９Ｊ×３．１４×１．２７６×１０−１５ｍ×変換率＝９．６６３×１０−２７Ｊ
変換率＝３．５５１×１０−４／ｍ
この値は、高エネルギーの場における、電子のラブが１公転で電気の光子を作る変換率＝４．５３２×１０−１９÷軌道＝４．５３２×１０−１９÷（１．２７６×１０−１５ｍ）＝３．５５２×１０−４／ｍの値に等しい。
▲１▼′中性子の電子のラブの自転の仕事が磁気の光子１個のエネルギーを作ると考える場合。
中性子の電子のラブの自転の仕事×変換率＝磁気の光子のエネルギー
中性子の電子のラブの１自転の仕事×変換率＝磁気の光子１個のエネルギー
中性子の電子のラブのエネルギー×１自転する距離×変換率＝磁気の光子１個のエネルギー
６．７９１×１０−９Ｊ×５．０３５×１０−２３ｍ×Ｋ４＝１．２１４×１０−３４Ｊ
変換率＝３．５５０×１０−４／ｍ
この値は、高エネルギーの場における、電子のラブが１自転で磁気の光子を作る変換率＝４．５３２×１０−１９÷軌道＝４．５３２×１０−１９÷（１．２７６×１０−１５ｍ）＝３．５５２×１０−４／ｍの値に等しい。
▲２▼中性子の電子のラブの公転の仕事が電気の光子１個の仕事を作ると考える場合。
中性子の電子のラブの１公転の仕事×仕事の変換率＝電気の光子１個の仕事
中性子の電子のラブのエネルギー×３．１４×公転軌道×仕事の変換率＝電気の光子１個のエネルギー×３．１４×公転軌道
６．７９１×１０−９Ｊ×３．１４×１．２７６×１０−１５ｍ×仕事の変換率＝９．６６３×１０−２７Ｊ×３．１４×１．２７６×１０−１５ｍ
仕事の変換率＝１．４２３×１０−１８
▲２▼′中性子の電子のラブの自転の仕事が磁気の光子１個の仕事を作ると考える場合。
中性子の電子のラブの１公転の仕事×仕事の変換率＝磁気の光子１個の仕事
中性子の電子のラブのエネルギー×自転軌道×仕事の変換率＝磁気の光子１個のエネルギー×自転軌道
６．７９１×１０−９Ｊ×５．０３５×１０−２３ｍ×仕事の変換率＝１．２１４×１０−３４Ｊ×５．０３５×１０−２３ｍ
仕事の変換率＝１．７８８×１０−２６
▲３▼中性子の電子のラブのエネルギーが電気の光子の１個エネルギーを作ると考える場合。
中性子の電子のラブのエネルギー×エネルギーの変換率＝電気の光子１個のエネルギー
６．７９１×１０−９Ｊ×エネルギーの変換率＝９．６６３×１０−２７Ｊ
エネルギーの変換率＝１．４２３×１０−１８
▲３▼′中性子の電子のラブのエネルギーが磁気の光子１個のエネルギーを作ると考える場合。
中性子の電子のラブのエネルギー×エネルギーの変換率＝磁気の光子１個のエネルギー
６．７９１×１０−９Ｊ×エネルギーの変換率＝１．２１４×１０−３４Ｊ
エネルギーの変換率＝１．７８８×１０−２６
▲４▼中性子の電子のラブの軌道エネルギーが電気の光子１個の軌道エネルギーを作ると考える場合。
電子のラブのエネルギー×公転軌道×軌道エネルギーの変換率＝電気の光子１個のエネルギー×公転軌道
６．７９１×１０−９Ｊ×１．２７６×１０−１５ｍ×軌道エネルギーの変換率＝９．６６３×１０−２７Ｊ×１．２７６×１０−１５ｍ
軌道エネルギーの変換率＝１．４２３×１０−１８
▲４▼′中性子の電子のラブの軌道エネルギーが磁気の光子１個の軌道エネルギーを作ると考える場合。
中性子の電子のラブのエネルギー×自転軌道×軌道エネルギーの変換率＝磁気の光子１個のエネルギー×自転軌道
６．７９１×１０−９Ｊ×５．０３５×１０−２３ｍ×軌道エネルギーの変換率＝１．２１４×１０−３４Ｊ×５．０３５×１０−２３ｍ
軌道エネルギーの変換率＝１．７８８×１０−２６
○従って、中性子の電子のラブが電気の光子を作る場合、変換率は１．４２３×１０−１８です。
中性子の電子のラブが磁気の光子を作る場合、変換率は１．７８８×１０−２６です。
この値は、電子のラブが電気の光子を作る場合の変換率定数１．４２３×１０−１８に等しい。
電子のラブが磁気の光子を作る場合の変換率定数１．７８８×１０−２６に等しい。
この事によって、今回求めた中性子の電子のラブの性質は正しいことが立証された。
【請求項９】
中性子の陽子のラブの変換率はいくらか。
▲１▼中性子の陽子のラブの公転の仕事が電気の光子１個のエネルギーを作ると考える場合。
中性子の陽子のラブの公転の仕事×変換率＝電気の光子のエネルギー
中性子の陽子のラブの１公転の仕事×変換率＝電気の光子１個のエネルギー
中性子の陽子のラブのエネルギー×３．１４×公転軌道×変換率＝電気の光子１個のエネルギー
６．７９１×１０−９Ｊ×３．１４×１．２７６×１０−１５ｍ×変換率＝５．２６９×１０−３０Ｊ
変換率＝１．９３６×１０−７／ｍ
この値は、高エネルギーの場における、陽子のラブが１公転で電気の光子を作る変換率＝２．４７１×１０−２２÷軌道＝２．４７１×１０−２２÷（１．２７６×１０−１５ｍ）＝１．９３７×１０−７／ｍの値に等しい。
▲１▼′中性子の陽子のラブの自転の仕事が磁気の光子１個のエネルギーを作ると考える場合。
中性子の陽子のラブの自転の仕事×変換率＝磁気の光子のエネルギー
中性子の陽子のラブの１自転の仕事×変換率＝磁気の光子１個のエネルギー
中性子の陽子のラブのエネルギー×自転軌道×変換率＝磁気の光子１個のエネルギー
６．７９１×１０−９Ｊ×９．２３２×１０−２０ｍ×変換率＝１．２１４×１０−３４Ｊ
変換率＝１．９３６×１０−７／ｍ
この値は、高エネルギーの場における、陽子のラブが１自転で磁気の光子を作る変換率＝２．４７１×１０−２２÷軌道＝２．４７１×１０−２２÷（１．２７６×１０−１５ｍ）＝１．９３７×１０−７／ｍの値に等しい。
▲２▼中性子の陽子のラブの公転の仕事が電気の光子１個の仕事を作ると考える場合。
中性子の陽子のラブの公転の仕事×仕事の変換率＝電気の光子の仕事
中性子の陽子のラブの１公転の仕事×仕事の変換率＝電気の光子１個の仕事
中性子の陽子のラブのエネルギー×３．１４×公転軌道×仕事の変換率＝電気の光子１個のエネルギー×３．１４×公転軌道
６．７９１×１０−９Ｊ×３．１４×１．２７６×１０−１５ｍ×仕事の変換率＝５．２６９×１０−３０Ｊ×３．１４×１．２７６×１０−１５ｍ
仕事の変換率＝７．７５９×１０−２２
▲２▼′中性子の陽子のラブの自転の仕事が磁気の光子１個の仕事を作ると考える場合。
中性子の陽子のラブの自転の仕事×仕事の変換率＝磁気の光子の仕事
中性子の陽子のラブの１自転の仕事×仕事の変換率＝磁気の光子１個の仕事
中性子の陽子のラブのエネルギー×自転軌道×仕事の変換率＝磁気の光子１個のエネルギー×自転軌道
６．７９１×１０−９Ｊ×９．２３２×１０−２０ｍ×仕事の変換率＝１．２１４×１０−３４Ｊ×９．２３２×１０−２０ｍ
仕事の変換率＝１．７８８×１０−２６
▲３▼中性子の陽子のラブのエネルギーが電気の光子１個のエネルギーを作ると考える場合。
中性子の陽子のラブのエネルギー×エネルギーの変換率＝電気の光子のエネルギー
中性子の陽子のラブのエネルギー×エネルギーの変換率＝電気の光子１個エネルギー
６．７９１×１０−９Ｊ×エネルギーの変換率＝５．２６９×１０−３０Ｊ
エネルギーの変換率＝７．７５９×１０−２２
▲３▼′中性子の陽子のラブのエネルギーが磁気の光子１個のエネルギーを作ると考える場合。
中性子の陽子のラブのエネルギー×エネルギーの変換率＝磁気の光子のエネルギー
６．７９１×１０−９Ｊ×エネルギーの変換率＝１．２１４×１０−３４Ｊ
エネルギーの変換率＝１．７８８×１０−２６
▲４▼  性子の陽子のラブの軌道エネルギーが電気の光子１個の軌道エネルギーを作ると考える場合。
中性子の陽子のラブの軌道エネルギー×軌道エネルギーの変換率＝電気の光子の軌道エネルギー
中性子の陽子のラブのエネルギー×公転軌道×軌道エネルギーの変換率＝電気の光子１個のエネルギー×公転軌道
６．７９１×１０−９Ｊ×１．２７６×１０−１５ｍ×軌道エネルギーの変換率＝５．２６９×１０−３０Ｊ×１．２７６×１０−１５ｍ
軌道エネルギーの変換率＝７．７５９×１０−２２
▲４▼′中性子の陽子のラブの自転の軌道エネルギーが磁気の光子１個の軌道エネルギーを作ると考える場合。
中性子の陽子のラブの自転の軌道エネルギー×軌道エネルギーの変換率＝磁気の光子の軌道エネルギー
中性子の陽子のラブのエネルギー×自転軌道×軌道エネルギーの変換率＝磁気の光子１個のエネルギー×自転軌道
６．７９１×１０−９Ｊ×９．２３２×１０−２０ｍ×軌道エネルギーの変換率＝１．２１４×１０−３４Ｊ×９．２３２×１０−２０ｍ
軌道エネルギーの変換率＝１．７８８×１０−２６
○従って、中性子の陽子のラブが電気の光子を作る場合、変換率は仕事の変換率＝エネルギーの変換率＝軌道エネルギーの変換率＝７．７５９×１０−２２です。
中性子の陽子のラブが磁気の光子を作る場合、変換率は仕事の変換率＝エネルギーの変換率＝軌道エネルギーの変換率＝１．７８８×１０−２６です。
この値は、陽子のラブが電気の光子を作る場合の変換率定数７．７６×１０−２２に等しい。
陽子のラブが磁気の光子を作る場合の変換率定数１．７８８×１０−２６に等しい。
この事によって、今回求めた中性子の陽子のラブの性質は正しいことが立証された。
中性子の電子のラブと中性子の陽子のラブの性質を表にする。
2007236186.tif 000007
2007236186.tif 000008
【請求項１０】
１原子が作る引力と成る磁気の光子のエネルギーは、どうして９．２７×１０６自転でできるか。引力発生の原理。
これは、２００６年１１月１５日に提出した特許願の「請求項１９」の再考察です。
電子のラブが１自転で作る磁気の光子１個のエネルギーは、１．５４９×１０−４９Ｊｍ÷公転軌道です。陽子のラブが１自転で作る磁気の光子１個のエネルギーは、１．５４９×１０−４９Ｊｍ÷公転軌道です。
電子のラブが作った磁気の光子１個と、陽子のラブが作った磁気の光子１個は、公転軌道が等しくなると同じエネルギーに成り、回転方向が反対なので相殺します。
１秒間に電子のラブが作る磁気の光子は（７．９６×１０７）３個で、１秒間に陽子のラブが作る磁気の光子は（４．３４×１０４）２×７．９６×１０７個ですから、相殺されずに残る磁気の光子は、１秒間に、（７．９６×１０７）３個：（４．３４×１０４）２×７．９６×１０７個＝３．３６４×１０６：１です。
１秒間に３．３６４×１０６個の磁気の光子が残り、これが引力と成る。
例えば、地上において、電子のラブが１自転で作る磁気の光子１個のエネルギーは、１．４６４×１０−３９Ｊです。陽子のラブが１自転で作る磁気の光子１個のエネルギーは、２．６８１×１０−３６Ｊです。
陽子のラブが作った電気の光子の軌道が１８３４倍となり、電子のラブの軌道になると、陽子のラブが作った磁気の光子１個のエネルギーは、１８３４分の１に成り、
１．４６４×１０−３９Ｊ×１８３４＝２．６８５×１０−３６Ｊに成ります。
陽子のラブが作った磁気の光子１個のエネルギーと、電子のラブが作った磁気の光子１個のエネルギーは同じになります。自転方向は反対です。それで相殺する。
相殺されず残る磁気の光子は、１秒間に３．３６４×１０６個です。これが引力に成る。
【請求項１１】
どうして熱と成る電気の光子のエネルギーは、電子のラブが３．０６７×１０１０公転でできるのか。熱発生の原理。
電子のラブが１公転で作る電気の光子１個のエネルギーは１．１６３×１０−３１Ｊです。陽子のラブが１公転で作る電気の光子１個のエネルギーは１．１６３×１０−３１Ｊです。公転方向は反対です。それで、電子のラブが１公転で作る電気の光子１個と、陽子のラブが１公転で作る電気の光子１個は相殺する。
１束のうち相殺されず残る電気の光子は、
７．９６×１０７：４．３４×１０４＝１８３４：１で、
電子のラブが作った１８３４個の電気の光子です。
１秒間に残る電気の光子は、１８３４個×７．９６×１０７束＝１．４６×１０１１個です。
よって、熱となる電気の光子は、電子のラブが作った１．４６×１０１１個の電気の光子です。
【発明の詳細な説明】
【技術分野】
【０００１】  電子が磁気と電気を作る変換率。陽子が磁気と電気を作る変換率。中性子の陽子と電子はどのようになっているか。中性子の陽子が磁気と電気を作る変換率。中性子の電子が磁気と電気を作る変換率。引力の発生について。熱の発生について。
【背景技術】
【０００２】  従来、電子が磁気と電気を作る変換率については理解されていない。陽子が磁気と電気を作る変換率については理解されていない。中性子の陽子と電子がどのようになっているのか理解されていない。中性子の陽子が磁気と電気を作る変換率については理解されていない。中性子の電子が磁気と電気を作る変換率については理解されていない。引力の発生について理解されていない。熱の発生について理解されていない。
【発明の開示】
本発明者は２００６年１１月１５日に提出した特許願に於いて、高エネルギーの場における変換率について記した。しかし、仕事の変換率とエネルギーの変換率と軌道エネルギーの変換率については、地上の場合についてのみ記した。
それでは、仕事の変換率とエネルギーの変換率と軌道エネルギーの変換率は、高エネルギーの場では変わるのか、一定であるのか。
中性子の電子のラブはどのように行動しているのか。中性子の陽子のラブはどのように行動しているのか。
中性子の電子のラブと陽子のラブは一緒に公転している。
しかし、中性子の電子のラブは、原子の電子のラブのように自転している。
中性子の陽子のラブは、原子の陽子のラブのように自転している。
中性子の電子のラブと、中性子の陽子のラブは別々に自転している。
中性子の電子のラブは、１公転するとき７．９６×１０７回自転し、中性子の陽子のラブは、１公転するとき４．３４×１０４回自転する。
【発明が解決しようとする課題】
【０００３】１．  電子のラブの変換率について。
２．  陽子のラブの変換率について。
３．  中性子の磁気モーメントはどのようにできるか。
４．  中性子の電子のラブと陽子のラブが作る１個の磁気の光子のエネルギーはいくらか。
５．  中性子の電子のラブの公転軌道はいくらか。中性子の陽子のラブの公転軌道はいくらか。中性子の電子のラブの自転軌道はいくらか。中性子の陽子のラブの自転軌道はいくらか。
６．  中性子の電子のラブの秒速はいくらか。中性子の陽子のラブの秒速はいくらか。中性子の電子のラブが１公転で作る電気の光子１個のエネルギーはいくらか。中性子の陽子のラブが１公転で作る電気の光子１個のエネルギーはいくらか。中性子の電子のラブが作る１束の磁気の光子のエネルギーはいくらか。中性子の陽子のラブ作る１束の磁気の光子のエネルギーはいくらか。中性子の電子のラブが１秒間に作る磁気の光子のエネルギーはいくらか。中性子の陽子のラブが１秒間に作る磁気の光子のエネルギーはいくらか。
７．  中性子の電子のラブのエネルギーはいくらか。中性子の陽子のラブのエネルギーはいくらか。中性子の電子のラブが作る磁気の光子１個の軌道エネルギーはいくらか。中性子の陽子のラブが作る磁気の光子１個の軌道エネルギーはいくらか。中性子の電子のラブが作る電気の光子１個の軌道エネルギーはいくらか。中性子の陽子のラブが作る電気の光子１個の軌道エネルギーはいくらか。中性子の電子のラブが作る磁気の光子１個のエネルギーを求める式はどのようであるか。中性子の陽子のラブが作る磁気の光子１個のエネルギーを求める式はどのようであるか。中性子の電子のラブが作る電気の光子１個のエネルギーを求める式はどのようであるか。中性子の陽子のラブが作る電気の光子１個のエネルギーを求める式はどのようであるか。
８．  中性子の電子のラブの変換率はいくらか。
９．  中性子の陽子のラブの変換率はいくらか。
１０．  １原子が作る引力と成る磁気の光子のエネルギーは、どうして９．２７×１０６自転でできるか。引力発生の原理。
１１．  どうして熱と成る電気の光子のエネルギーは、電子のラブが３．０６７×１０１０公転でできるのか。熱発生の原理。
【発明を解決するための手段】
【０００４】  どのようなエネルギーの場においても仕事の変換率とエネルギーの変換率と軌道エネルギーの変換率は一定である事を導き出す。そうすると、中性子の電子のラブの変換率もその値になるはずです。中性子の陽子のラブの変換率もその値になるはずです。もし変換率の値が同じ値であれば、中性子の電子のラブが作る磁気の光子１個のエネルギーの値と電気の光子１個のエネルギーの値は正しい事に成ります。中性子の陽子のラブが作る磁気の光子１個のエネルギーの値と電気の光子１個のエネルギーの値は正しい事に成ります。その公転軌道も自転軌道も正しい事に成ります。この事によって、中性子の電子のラブの様子と陽子のラブの様子が理解できます。
２００６年１１月１５日に提出した特許願の「請求項１９」と「請求項２５」について再び考えます。
【発明の実施態様】
【０００５】１．  電子のラブの変換率について。
▲１▼２００６年１１月１５日に提出した特許願の「請求項１２」に記載した、▲１▼電子のラブが電気の光子を作る場合、は、電子のラブの１公転の仕事が電気の光子１個のエネルギーを作ると考える場合である。
電子のラブの１公転の仕事が電気の光子１個のエネルギーを作る変換率は、４．５３２×１０−１９÷軌道です。
▲１▼′２００６年１１月１５日に提出した特許願の「請求項１２」に記載した、▲２▼電子のラブが磁気の光子を作る場合、は、電子のラブの１自転の仕事が磁気の光子１個のエネルギーを作ると考える場合である。
電子のラブの１自転の仕事が磁気の光子１個のエネルギーを作る変換率は、４．５３２×１０−１９÷軌道です。
▲２▼電子のラブの公転の仕事が電気の光子１個の仕事を作ると考える場合。
電子のラブの公転の仕事×仕事の変換率＝電気の光子の仕事
電子のラブの１公転の仕事×仕事の変換率＝電気の光子１個の仕事
電子のラブのエネルギー×走る距離×仕事の変換率＝電気の光子１個のエネルギー×走る距離
電子のラブのエネルギー×３．１４×公転軌道×仕事の変換率＝電気の光子１個のエネルギー×３．１４×公転軌道
３．１４×電子のラブの軌道エネルギー×仕事の変換率＝３．１４×電気の光子の軌道エネルギー
３．１４×８．６６５×１０−２４Ｊｍ×仕事の変換率＝３．１４×１．２３３×１０−４１Ｊｍ
仕事の変換率＝１．４２３×１０−１８
よって、電子のラブが電気の光子１個を作る仕事の変換率はどのようなエネルギーの場においても、一定であり、仕事の変換率＝１．４２３×１０−１８である。
▲２▼′電子のラブの自転の仕事が磁気の光子１個の仕事を作ると考える場合。
電子のラブの自転の仕事×仕事の変換率＝磁気の光子の仕事
電子のラブの１自転の仕事×仕事の変換率＝磁気の光子１個の仕事
電子のラブのエネルギー×電子のラブの自転軌道×仕事の変換率＝磁気の光子１個のエネルギー×自転軌道
電子のラブのエネルギー×３．１４×公転軌道÷１公転するときの自転回数×仕事の変換率＝磁気の光子１個のエネルギー×自転軌道
電子のラブのエネルギー×３．１４×公転軌道÷（７．９６×１０７自転）×仕事の変換率＝磁気の光子１個の軌道エネルギー
電子のラブの軌道エネルギー×３．１４÷（７．９６×１０７自転）×仕事の変換率＝磁気の光子１個の軌道エネルギー
８．６６５×１０−２４Ｊｍ×３．１４÷（７．９６×１０７自転）×仕事の変換率＝６．１１２×１０−５７Ｊｍ
仕事の変換率＝１．７８８×１０−２６
よって、電子のラブが磁気の光子１個を作る仕事の変換率はどのようなエネルギーの場においても、一定であり、仕事の変換率＝１．７８８×１０−２６である。
▲３▼電子のラブのエネルギーが電気の光子１個のエネルギーを作ると考える場合。
電子のラブのエネルギー×エネルギーの変換率＝電気の光子１個のエネルギー
公転軌道が１０ａｍの場合、電子のラブのエネルギーは、８．６６５×１０−２４Ｊｍ÷１０ａｍです。
電気の光子１個のエネルギーは、１．２３３×１０−４１Ｊｍ÷１０ａｍです。
それで、
電子のラブのエネルギー×エネルギーの変換率＝電気の光子１個のエネルギー
８．６６５×１０−２４Ｊｍ÷１０ａｍ×エネルギーの変換率＝１．２３３×１０−４１Ｊｍ÷１０ａｍ
エネルギーの変換率＝１．４２３×１０−１８
よって、電子のラブが電気の光子１個を作るエネルギーの変換率はどのようなエネルギーの場においても、一定であり、エネルギーの変換率＝１．４２３×１０−１８である。
▲３▼′電子のラブのエネルギーが磁気の光子１個のエネルギーを作ると考える場合。
電子のラブのエネルギー×エネルギーの変換率＝電気の光子１個のエネルギー
公転軌道が１０ａｍの場合、電子のラブのエネルギーは、８．６６５×１０−２４Ｊｍ÷１０ａｍです。
磁気の光子１個のエネルギーは、１．５４９×１０−４９Ｊｍ÷１０ａｍです。
それで、
電子のラブのエネルギー×エネルギーの変換率＝磁気の光子１個のエネルギー
８．６６５×１０−２４Ｊｍ÷１０ａｍ×エネルギーの変換率＝１．５４９×１０−４９Ｊｍ÷１０ａｍ
エネルギーの変換率＝１．７８８×１０−２６
よって、電子のラブが磁気の光子１個を作るエネルギーの変換率はどのようなエネルギーの場においても、一定であり、エネルギーの変換率＝１．７８８×１０−２６である。
▲４▼電子のラブの軌道エネルギーが電気の光子１個の軌道エネルギーを作ると考える場合。
電子のラブの軌道エネルギー×軌道エネルギーの変換率＝電気の光子１個の軌道エネルギー
電子のラブの軌道エネルギーは、８．６６５×１０−２４Ｊｍです。
電気の光子１個の軌道エネルギーは、１．２３３×１０−４１Ｊｍです。
それで、
電子のラブの軌道エネルギー×軌道エネルギーの変換率＝電気の光子１個の軌道エネルギー
８．６６５×１０−２４Ｊｍ×軌道エネルギーの変換率＝１．２３３×１０−４１Ｊｍ
軌道エネルギーの変換率＝１．４２３×１０−１８
よって、電子のラブが電気の光子１個を作る軌道エネルギーの変換率はどのようなエネルギーの場においても、一定であり、軌道エネルギーの変換率＝１．４２３×１０−１８である。
▲４▼′電子のラブの自転の軌道エネルギーが磁気の光子１個の軌道エネルギーを作ると考える場合。
電子のラブの自転の軌道エネルギー×軌道エネルギーの変換率＝磁気の光子１個の軌道エネルギー
磁気の光子１個のエネルギー＝１．５４９×１０−４９Ｊｍ÷公転軌道
磁気の光子１個の軌道エネルギー＝磁気の光子１個のエネルギー×自転軌道＝１．５４９×１０−４９Ｊｍ÷公転軌道×自転軌道
電子のラブの自転の軌道エネルギー＝電子のラブのエネルギー×自転軌道
それで、
電子のラブの自転の軌道エネルギー×軌道エネルギーの変換率＝磁気の光子１個の軌道エネルギー
電子のラブのエネルギー×自転軌道×軌道エネルギーの変換率＝１．５４９×１０−４９Ｊｍ÷公転軌道×自転軌道
電子のラブのエネルギー×公転軌道×自転軌道×軌道エネルギーの変換率＝１．５４９×１０−４９Ｊｍ×自転軌道
８．６６５×１０−２４Ｊｍ×軌道エネルギーの変換率＝１．５４９×１０−４９Ｊｍ
軌道エネルギーの変換率＝１．７８８×１０−２６
公転軌道が１０ａｍの場合。
自転軌道＝３．１４×１０ａｍ÷（７．９６×１０７自転）＝３．９４５×１０ａ−８ｍ
８．６６５×１０−２４Ｊｍ×自転軌道×軌道エネルギーの変換率＝１．５４９×１０−４９Ｊｍ×自転軌道
８．６６５×１０−２４Ｊｍ×３．９４５×１０ａ−８ｍ×軌道エネルギーの変換率＝１．５４９×１０−４９Ｊｍ×３．９４５×１０ａ−８ｍ
軌道エネルギーの変換率＝１．７８８×１０−２６
よって、電子のラブが磁気の光子１個を作る軌道エネルギーの変換率はどのようなエネルギーの場においても、一定であり、軌道エネルギーの変換率＝１．７８８×１０−２６である。
○これらの事から、
電子のラブが電気の光子１個を作る変換率＝仕事の変換率＝エネルギーの変換率＝軌道エネルギーの変換率＝１．４２３×１０−１８＝一定であり、これを、電子のラブが電気の光子１個を作る変換率定数と名づける。
電子のラブが磁気の光子１個を作る変換率＝仕事の変換率＝エネルギーの変換率＝軌道エネルギーの変換率＝１．７８８×１０−２６＝一定であり、これを、電子のラブが磁気の光子１個を作る変換率定数と名づける。
２．  陽子のラブの変換率について。
▲１▼２００６年１１月１５日に提出した特許願の「請求項１３」に記載した、▲１▼陽子のラブが電気の光子を作る場合、は、陽子のラブの１公転の仕事が電気の光子１個のエネルギーを作ると考える場合である。
陽子のラブの１公転の仕事が電気の光子１個のエネルギーを作る変換率は、２．４７１×１０−２２÷軌道です。
▲１▼′２００６年１１月１５日に提出した特許願の「請求項１３」に記載した、▲２▼陽子のラブが磁気の光子を作る場合、は、陽子のラブの１自転の仕事が磁気の光子１個のエネルギーを作ると考える場合である。
陽子のラブの１自転の仕事が磁気の光子１個のエネルギーを作る変換率は、２．４７１×１０−２２÷軌道です。
▲２▼陽子のラブの公転の仕事が電気の光子１個の仕事を作ると考える場合。
陽子のラブの１公転の仕事×仕事の変換率＝電気の光子１個の仕事
陽子のラブのエネルギー×走る距離×仕事の変換率＝電気の光子１個のエネルギー×走る距離
陽子のラブのエネルギー×３．１４×公転軌道×仕事の変換率＝電気の光子１個のエネルギー×３．１４×公転軌道
３．１４×陽子のラブの軌道エネルギー×仕事の変換率＝３．１４×電気の光子１個の軌道エネルギー
３．１４×８．６６５×１０−２４Ｊｍ×仕事の変換率＝３．１４×６．７２４×１０−４５Ｊｍ
仕事の変換率＝７．７６×１０−２２
よって、陽子のラブが電気の光子１個を作る仕事の変換率はどのようなエネルギーの場においても、一定であり、仕事の変換率＝７．７６×１０−２２である。
▲２▼′陽子のラブの自転の仕事が磁気の光子１個の仕事を作ると考える場合。
陽子のラブの自転の仕事×仕事の変換率＝磁気の光子の仕事
陽子のラブの１自転の仕事×仕事の変換率＝磁気の光子１個の仕事
陽子のラブのエネルギー×陽子のラブの自転軌道×仕事の変換率＝磁気の光子１個のエネルギー×自転軌道
陽子のラブのエネルギー×３．１４×公転軌道÷１公転するときの自転回数×仕事の変換率＝磁気の光子１個のエネルギー×自転軌道
陽子のラブのエネルギー×３．１４×公転軌道÷（４．３４×１０４自転）×仕事の変換率＝磁気の光子１個の軌道エネルギー
陽子のラブの軌道エネルギー×３．１４÷（４．３４×１０４自転）×仕事の変換率＝磁気の光子１個の軌道エネルギー
８．６６５×１０−２４Ｊｍ×３．１４÷（４．３４×１０４自転）×仕事の変換率＝１．１２１×１０−５３Ｊｍ
仕事の変換率＝１．７８８×１０−２６
よって、陽子のラブの１自転の仕事の変換率はどのようなエネルギーの場においても、一定であり、仕事の変換率＝１．７８８×１０−２６である。
▲３▼陽子のラブのエネルギーが電気の光子１個のエネルギーを作ると考える場合。
陽子のラブのエネルギー×エネルギーの変換率＝電気の光子１個のエネルギー
公転軌道が１０ａｍの場合、陽子のラブのエネルギーは、８．６６５×１０−２４Ｊｍ÷１０ａｍです。
陽子のラブが作る、電気の光子１個のエネルギーは、６．７２４×１０−４５Ｊｍ÷１０ａｍです。
それで、
陽子のラブのエネルギー×エネルギーの変換率＝電気の光子１個のエネルギー
８．６６５×１０−２４Ｊｍ÷１０ａｍ×エネルギーの変換率＝６．７２４×１０−４５Ｊｍ÷１０ａｍ
エネルギーの変換率＝７．７６×１０−２２
よって、陽子のラブが電気の光子１個を作るエネルギーの変換率はどのようなエネルギーの場においても、一定であり、エネルギーの変換率＝１．４２３×１０−１８である。
▲３▼′陽子のラブのエネルギーが磁気の光子１個のエネルギーを作ると考える場合。
陽子のラブのエネルギー×エネルギーの変換率＝電気の光子１個のエネルギー
公転軌道が１０ａｍの場合、陽子のラブのエネルギーは、８．６６５×１０−２４Ｊｍ÷１０ａｍです。
陽子のラブが作る、磁気の光子１個のエネルギーは、１．５４９×１０−４９Ｊｍ÷公転軌道＝１．５４９×１０−４９Ｊｍ÷１０ａｍです。
それで、
陽子のラブのエネルギー×エネルギーの変換率＝磁気の光子１個のエネルギー
８．６６５×１０−２４Ｊｍ÷１０ａｍ×エネルギーの変換率＝１．５４９×１０−４９Ｊｍ÷１０ａｍ
エネルギーの変換率＝１．７８８×１０−２６
よって、陽子のラブが磁気の光子１個を作るエネルギーの変換率はどのようなエネルギーの場においても、一定であり、エネルギーの変換率＝１．７８８×１０−２６である。
▲４▼陽子のラブの軌道エネルギーが電気の光子１個の軌道エネルギーを作ると考える場合。
陽子のラブの軌道エネルギー×軌道エネルギーの変換率＝電気の光子１個の軌道エネルギー
陽子のラブの軌道エネルギーは、８．６６５×１０−２４Ｊｍです。
陽子のラブが作る、電気の光子１個の軌道エネルギーは、６．７２４×１０−４５Ｊｍです。
それで、
陽子のラブの軌道エネルギー×軌道エネルギーの変換率＝電気の光子１個の軌道エネルギー
８．６６５×１０−２４Ｊｍ×軌道エネルギーの変換率＝６．７２４×１０−４５Ｊｍ
軌道エネルギーの変換率＝７．７６×１０−２２
よって、陽子のラブが電気の光子１個を作る軌道エネルギーの変換率はどのようなエネルギーの場においても、一定であり、軌道エネルギーの変換率＝７．７６×１０−２２である。
▲４▼′陽子のラブの自転の軌道エネルギーが磁気の光子１個の軌道エネルギーを作ると考える場合。
陽子のラブの自転の軌道エネルギー×軌道エネルギーの変換率＝磁気の光子１個の軌道エネルギー
陽子のラブが作る、磁気の光子１個のエネルギー＝１．５４９×１０−４９Ｊｍ÷公転軌道
磁気の光子１個の軌道エネルギー＝磁気の光子１個のエネルギー×自転軌道＝１．５４９×１０−４９Ｊｍ÷公転軌道×自転軌道
陽子のラブの自転の軌道エネルギー＝陽子のラブのエネルギー×自転軌道
それで、
陽子のラブの自転の軌道エネルギー×軌道エネルギーの変換率＝磁気の光子１個の軌道エネルギー
陽子のラブのエネルギー×自転軌道×軌道エネルギーの変換率＝１．５４９×１０−４９Ｊｍ÷公転軌道×自転軌道
陽子のラブのエネルギー×公転軌道×自転軌道×軌道エネルギーの変換率＝１．５４９×１０−４９Ｊｍ×自転軌道
８．６６５×１０−２４Ｊｍ×軌道エネルギーの変換率＝１．５４９×１０−４９Ｊｍ
軌道エネルギーの変換率＝１．７８８×１０−２６
公転軌道が１０ａｍの場合。
自転軌道＝３．１４×１０ａｍ÷（７．９６×１０７自転）＝３．９４５×１０ａ−８ｍ
８．６６５×１０−２４Ｊｍ×自転軌道×軌道エネルギーの変換率＝１．５４９×１０−４９Ｊｍ×自転軌道
８．６６５×１０−２４Ｊｍ×３．９４５×１０ａ−８ｍ×軌道エネルギーの変換率＝１．５４９×１０−４９Ｊｍ×３．９４５×１０ａ−８ｍ
軌道エネルギーの変換率＝１．７８８×１０−２６
よって、陽子のラブが磁気の光子１個を作る軌道エネルギーの変換率はどのようなエネルギーの場においても、一定であり、軌道エネルギーの変換率＝１．７８８×１０−２６である。
○これらの事から、
陽子のラブが電気の光子１個を作る変換率＝仕事の変換率＝エネルギーの変換率＝軌道エネルギーの変換率＝７．７６×１０−２２＝一定であり、これを、陽子のラブが電気の光子１個を作る変換率定数と名づける。
陽子のラブが磁気の光子１個を作る変換率＝仕事の変換率＝エネルギーの変換率＝軌道エネルギーの変換率＝１．７８８×１０−２６＝一定であり、これを、陽子のラブが磁気の光子１個を作る変換率定数と名づける。
これを表にする。
2007236186.tif 000003
３．  中性子の磁気モーメントはどのようにできるか。
電子のラブが１自転で作る磁気の光子１個のエネルギー＝６．１１２×１０−５７Ｊｍ÷自転軌道＝１．５４９×１０−４９Ｊｍ÷公転軌道です。
陽子のラブが１自転で作る磁気の光子１個のエネルギー＝１．１２１×１０−５３Ｊｍ÷自転軌道＝１．５４９×１０−４９Ｊｍ÷公転軌道です。
中性子の電子のラブの公転軌道と中性子の陽子のラブの公転軌道は等しいです。
それで、電子のラブが１自転で作る磁気の光子１個のエネルギーと陽子のラブが１自転で作る磁気の光子１個のエネルギーは等しいです。
中性子の電子のラブが作る磁気の光子１個のエネルギーと中性子の陽子のラブが作る磁気の光子１個のエネルギーは等しく回転方向が反対であるから相殺する。
中性子の電子のラブは１公転するとき７．９６×１０７回自転する。
中性子の陽子のラブは１公転するとき４．３４×１０４回自転する。
それで、１公転するとき相殺されず残る磁気の光子の数は、
７．９６×１０７回：４．３４×１０４回＝１．８３４×１０３：１です。
１束で、１．８３４×１０３個×４．３４×１０４公転＝７．９６×１０７個です。
この磁気の光子のエネルギーが中性子の磁気モーメントになる。
１束で７．９６×１０７個の磁気の光子のエネルギーが中性子の磁気の光子のエネルギーになる。
４．中性子の電子のラブと陽子のラブが作る１個の磁気の光子のエネルギーはいくらか。
１束で７．９６×１０７個の磁気の光子のエネルギーは中性子の磁気の光子のエネルギーですから、１個の磁気の光子のエネルギーは、
９．６６２×１０−２７Ｊ÷（７．９６×１０７個）＝１．２１４×１０−３４Ｊ
中性子の電子のラブと陽子のラブが作る１個の磁気の光子のエネルギーは、１．２１４×１０−３４Ｊです。
５．  中性子の電子のラブの公転軌道はいくらか。中性子の陽子のラブの公転軌道はいくらか。中性子の電子のラブの自転軌道はいくらか。中性子の陽子のラブの自転軌道はいくらか。
・中性子の電子のラブの自転軌道はいくらか。
１個の磁気の光子のエネルギーは、１．２１４×１０−３４Ｊですから、この磁気の光子の自転軌道は、
６．１１２×１０−５７Ｊｍ÷磁気の光子１個のエネルギー＝６．１１２×１０−５７Ｊｍ÷（１．２１４×１０−３４Ｊ）＝５．０３５×１０−２３ｍです。
・中性子の電子のラブの公転軌道はいくらか。中性子の陽子のラブの公転軌道はいくらか。
この磁気の光子の公転軌道は、
１．５４９×１０−４９Ｊｍ÷磁気の光子１個のエネルギー＝１．５４９×１０−４９Ｊｍ÷（１．２１４×１０−３４Ｊ）＝１．２７６×１０−１５ｍです。
中性子の電子のラブの公転軌道は１．２７６×１０−１５ｍです。
中性子の陽子のラブの公転軌道は１．２７６×１０−１５ｍです。
・中性子の陽子のラブの自転軌道はいくらか。
中性子の陽子のラブの自転軌道は、
３．１４×公転軌道÷１公転するときの自転数＝３．１４×１．２７６×１０−１５ｍ÷（４．３４×１０４自転）＝９．２３２×１０−２０ｍです。
又は、
中性子の陽子のラブの自転軌道は、
１．１２１×１０−５３Ｊｍ÷磁気の光子１個のエネルギー＝１．１２１×１０−５３Ｊｍ÷（１．２１４×１０−３４Ｊ）＝９．２３４×１０−２０ｍです。
中性子の陽子のラブの自転軌道は９．２３４×１０−２０ｍです。
６．  中性子の電子のラブの秒速はいくらか。中性子の陽子のラブの秒速はいくらか。中性子の電子のラブが１公転で作る電気の光子１個のエネルギーはいくらか。中性子の陽子のラブが１公転で作る電気の光子１個のエネルギーはいくらか。中性子の電子のラブが作る１束の磁気の光子のエネルギーはいくらか。中性子の陽子のラブが作る１束の磁気の光子のエネルギーはいくらか。中性子の電子のラブが１秒間に作る磁気の光子のエネルギーはいくらか。中性子の陽子のラブが１秒間に作る磁気の光子のエネルギーはいくらか。
・中性子の電子のラブの秒速はいくらか。
中性子の電子のラブの秒速は、
３．１４×公転軌道×１秒間の公転数＝３．１４×１．２７６×１０−１５ｍ×４．３４×１０４公転×７．９６×１０７束＝１．３８４×１０−２ｍです。
・中性子の陽子のラブの秒速はいくらか。
中性子の陽子のラブの秒速は、
３．１４×公転軌道×１秒間の公転数＝３．１４×１．２７６×１０−１５ｍ×４．３４×１０４公転×７．９６×１０７束＝１．３８４×１０−２ｍです。
・中性子の電子のラブが１公転で作る電気の光子１個のエネルギーはいくらか。
中性子の電子のラブが１公転で作る電気の光子１個のエネルギーは、
磁気の光子が７．９６×１０７個分ですから、
磁気の光子１個のエネルギー×７．９６×１０７個＝１．２１４×１０−３４Ｊ×７．９６×１０７個＝９．６６３×１０−２７Ｊです。
・中性子の陽子のラブが１公転で作る電気の光子１個のエネルギーはいくらか。
中性子の陽子のラブが１公転で作る電気の光子１個のエネルギーは、
磁気の光子が４．３４×１０４個分ですから、
磁気の光子１個のエネルギー×４．３４×１０４個＝１．２１４×１０−３４Ｊ×４．３４×１０４個＝５．２６９×１０−３０Ｊです。
・中性子の電子のラブが作る１束の磁気の光子のエネルギーはいくらか。
中性子の電子のラブが作る１束の磁気の光子のエネルギーは、
１束の磁気の光子の数×１個の磁気の光子のエネルギー＝７．９６×１０７個×４．３４×１０４公転×１．２１４×１０−３４Ｊ＝４．１９４×１０−２２Ｊです。
・中性子の陽子のラブが作る１束の磁気の光子のエネルギーはいくらか。
中性子の陽子のラブが作る１束の磁気の光子のエネルギーは、
１束の磁気の光子の数×１個の磁気の光子のエネルギー＝４．３４×１０４個×４．３４×１０４公転×１．２１４×１０−３４Ｊ＝２．２８７×１０−２５Ｊです。
・中性子の電子のラブが１秒間に作る磁気の光子のエネルギーはいくらか。
中性子の電子のラブが１秒間に作る磁気の光子のエネルギーは７．９６×１０７束ですから、
１束の磁気の光子のエネルギー×７．９６×１０７束＝４．１９４×１０−２２Ｊ×７．９６×１０７束＝３．３３８×１０−１４Ｊです。
・中性子の陽子のラブが１秒間に作る磁気の光子のエネルギーはいくらか。
中性子の陽子のラブが１秒間に作る磁気の光子のエネルギーは７．９６×１０７束ですから、
１束の磁気の光子のエネルギー×７．９６×１０７束＝２．２８７×１０−２５Ｊ×７．９６×１０７束＝１．８２×１０−１７Ｊです。
７．  中性子の電子のラブのエネルギーはいくらか。中性子の陽子のラブのエネルギーはいくらか。中性子の電子のラブが作る磁気の光子の軌道エネルギーはいくらか。中性子の陽子のラブが作る磁気の光子の軌道エネルギーはいくらか。中性子の電子のラブが作る電気の光子の軌道エネルギーはいくらか。中性子の陽子のラブが作る電気の光子の軌道エネルギーはいくらか。中性子の電子のラブが作る磁気の光子１個のエネルギーを求める式はどのようであるか。中性子の陽子のラブが作る磁気の光子１個のエネルギーを求める式はどのようであるか。中性子の電子のラブが作る電気の光子１個のエネルギーを求める式はどのようであるか。中性子の陽子のラブが作る電気の光子１個のエネルギーを求める式はどのようであるか。
・中性子の電子のラブのエネルギーはいくらか。
中性子の電子のラブのエネルギーは、
ラブの軌道エネルギー÷ラブの公転軌道＝８．６６５×１０−２４Ｊｍ÷（１．２７６×１０−１５ｍ）＝６．７９１×１０−９Ｊです。
・中性子の陽子のラブのエネルギーはいくらか。
中性子の陽子のラブのエネルギーは、
ラブの軌道エネルギー÷ラブの公転軌道＝８．６６５×１０−２４Ｊｍ÷（１．２７６×１０−１５ｍ）＝６．７９１×１０−９Ｊです。
・中性子の電子のラブが作る磁気の光子１個の軌道エネルギーはいくらか。
中性子の電子のラブが作る磁気の光子の軌道エネルギーは、
磁気の光子１個のエネルギー×自転軌道＝１．２１４×１０−３４Ｊ×５．０３５×１０−２３ｍ＝６．１１２×１０−５７Ｊｍです。
・中性子の陽子のラブが作る磁気の光子の軌道エネルギーはいくらか。
中性子の陽子のラブが作る磁気の光子の軌道エネルギーは、
磁気の光子１個のエネルギー×自転軌道＝１．２１４×１０−３４Ｊ×９．２３２×１０−２０ｍ＝１．１２１×１０−５３Ｊｍです。
・中性子の電子のラブが作る電気の光子１個の軌道エネルギーはいくらか。
中性子の電子のラブが作る電気の光子１個の軌道エネルギーは、
電気の光子１個のエネルギー×公転軌道＝９．６６３×１０−２７Ｊ×１．２７６×１０−１５ｍ＝１．２３３×１０−４１Ｊｍです。
・中性子の陽子のラブが作る電気の光子１個の軌道エネルギーはいくらか。
中性子の陽子のラブが作る電気の光子１個の軌道エネルギーは、
電気の光子１個のエネルギー×公転軌道＝５．２６９×１０−３０Ｊ×１．２７６×１０−１５ｍ＝６．７２３×１０−４５Ｊｍです。
・中性子の電子のラブが作る磁気の光子１個のエネルギーを求める式はどのようであるか。
磁気の光子１個のエネルギー＝中性子の電子のラブが作る磁気の光子１個の軌道エネルギー÷自転軌道＝６．１１２×１０−５７Ｊｍ÷自転軌道
又は、
６．１１２×１０−５７Ｊｍ÷自転軌道＝６．１１２×１０−５７Ｊｍ÷｛３．１４×公転軌道÷（７．９６×１０７自転）｝＝１．５４９×１０−４９Ｊｍ÷公転軌道
・中性子の陽子のラブが作る磁気の光子１個のエネルギーを求める式はどのようであるか。
磁気の光子１個のエネルギー＝中性子の陽子のラブが作る磁気の光子１個の軌道エネルギー÷自転軌道＝１．１２１×１０−５３Ｊｍ÷自転軌道
又は、
１．１２１×１０−５３Ｊｍ÷自転軌道＝１．１２１×１０−５３Ｊｍ÷｛３．１４×公転軌道÷（４．３４×１０４自転）｝＝１．５４９×１０−４９Ｊｍ÷公転軌道
・中性子の電子のラブが作ろ電気の光子１個のエネルギーを求める式はどのようであるか。
電気の光子１個の軌道エネルギー÷公転軌道＝１．２３３×１０−４１Ｊｍ÷公転軌道
・中性子の陽子のラブが作る電気の光子１個のエネルギーを求める式はどのようであるか。
電気の光子１個の軌道エネルギー÷公転軌道＝６．７２３×１０−４５Ｊｍ÷公転軌道
８．  中性子の電子のラブの変換率はいくらか。
▲１▼中性子の電子のラブの公転の仕事が電気の光子１個のエネルギーを作ると考える場合。
中性子の電子のラブの公転の仕事×変換率＝電気の光子のエネルギー
中性子の電子のラブの１公転の仕事×変換率＝電気の光子１個のエネルギー
中性子の電子のラブのエネルギー×１公転する距離×変換率＝電気の光子１個のエネルギー
中性子の電子のラブのエネルギー×３．１４×公転軌道×変換率＝電気の光子１個のエネルギー
６．７９１×１０−９Ｊ×３．１４×１．２７６×１０−１５ｍ×変換率＝９．６６３×１０−２７Ｊ
変換率＝３．５５１×１０−４／ｍ
この値は、高エネルギーの場における、電子のラブが１公転で電気の光子を作る変換率＝４．５３２×１０−１９÷軌道＝４．５３２×１０−１９÷（１．２７６×１０−１５ｍ）＝３．５５２×１０−４／ｍの値に等しい。
▲１▼′中性子の電子のラブの自転の仕事が磁気の光子１個のエネルギーを作ると考える場合。
中性子の電子のラブの自転の仕事×変換率＝磁気の光子のエネルギー
中性子の電子のラブの１自転の仕事×変換率＝磁気の光子１個のエネルギー
中性子の電子のラブのエネルギー×１自転する距離×変換率＝磁気の光子１個のエネルギー
６．７９１×１０−９Ｊ×５．０３５×１０−２３ｍ×Ｋ４＝１．２１４×１０−３４Ｊ
変換率＝３．５５０×１０−４／ｍ
この値は、高エネルギーの場における、電子のラブが１自転で磁気の光子を作る変換率＝４．５３２×１０−１９÷軌道＝４．５３２×１０−１９÷（１．２７６×１０−１５ｍ）＝３．５５２×１０−４／ｍの値に等しい。
▲２▼中性子の電子のラブの公転の仕事が電気の光子１個の仕事を作ると考える場合。
中性子の電子のラブの１公転の仕事×仕事の変換率＝電気の光子１個の仕事
中性子の電子のラブのエネルギー×３．１４×公転軌道×仕事の変換率＝電気の光子１個のエネルギー×３．１４×公転軌道
６．７９１×１０−９Ｊ×３．１４×１．２７６×１０−１５ｍ×仕事の変換率＝９．６６３×１０−２７Ｊ×３．１４×１．２７６×１０−１５ｍ
仕事の変換率＝１．４２３×１０−１８
▲２▼′中性子の電子のラブの自転の仕事が磁気の光子１個の仕事を作ると考える場合。
中性子の電子のラブの１公転の仕事×仕事の変換率＝磁気の光子１個の仕事
中性子の電子のラブのエネルギー×自転軌道×仕事の変換率＝磁気の光子１個のエネルギー×自転軌道
６．７９１×１０−９Ｊ×５．０３５×１０−２３ｍ×仕事の変換率＝１．２１４×１０−３４Ｊ×５．０３５×１０−２３ｍ
仕事の変換率＝１．７８８×１０−２６
▲３▼中性子の電子のラブのエネルギーが電気の光子の１個エネルギーを作ると考える場合。
中性子の電子のラブのエネルギー×エネルギーの変換率＝電気の光子１個のエネルギー
６．７９１×１０−９Ｊ×エネルギーの変換率＝９．６６３×１０−２７Ｊ
エネルギーの変換率＝１．４２３×１０−１８
▲３▼′中性子の電子のラブのエネルギーが磁気の光子１個のエネルギーを作ると考える場合。
中性子の電子のラブのエネルギー×エネルギーの変換率＝磁気の光子１個のエネルギー
６．７９１×１０−９Ｊ×エネルギーの変換率＝１．２１４×１０−３４Ｊ
エネルギーの変換率＝１．７８８×１０−２６
▲４▼中性子の電子のラブの軌道エネルギーが電気の光子１個の軌道エネルギーを作ると考える場合。
電子のラブのエネルギー×公転軌道×軌道エネルギーの変換率＝電気の光子１個のエネルギー×公転軌道
６．７９１×１０−９Ｊ×１．２７６×１０−１５ｍ×軌道エネルギーの変換率＝９．６６３×１０−２７Ｊ×１．２７６×１０−１５ｍ
軌道エネルギーの変換率＝１．４２３×１０−１８
▲４▼′中性子の電子のラブの軌道エネルギーが磁気の光子１個の軌道エネルギーを作ると考える場合。
中性子の電子のラブのエネルギー×自転軌道×軌道エネルギーの変換率＝磁気の光子１個のエネルギー×自転軌道
６．７９１×１０−９Ｊ×５．０３５×１０−２３ｍ×軌道エネルギーの変換率＝１．２１４×１０−３４Ｊ×５．０３５×１０−２３ｍ
軌道エネルギーの変換率＝１．７８８×１０−２６
○従って、中性子の電子のラブが電気の光子を作る場合、変換率は１．４２３×１０−１８です。
中性子の電子のラブが磁気の光子を作る場合、変換率は１．７８８×１０−２６です。
この値は、電子のラブが電気の光子を作る場合の変換率定数１．４２３×１０−１８に等しい。
電子のラブが磁気の光子を作る場合の変換率定数１．７８８×１０−２６に等しい。
この事によって、今回求めた中性子の電子のラブの性質は正しいことが立証された。
９．  中性子の陽子のラブの変換率はいくらか。
▲１▼中性子の陽子のラブの公転の仕事が電気の光子１個のエネルギーを作ると考える場合。
中性子の陽子のラブの公転の仕事×変換率＝電気の光孑のエネルギー
中性子の陽子のラブの１公転の仕事×変換率＝電気の光子１個のエネルギー
中性子の陽子のラブのエネルギー×３．１４×公転軌道×変換率＝電気の光子１個のエネルギー
６．７９１×１０−９Ｊ×３．１４×１．２７６×１０−１５ｍ×変換率＝５．２６９×１０−３０Ｊ
変換率＝１．９３６×１０−７／ｍ
この値は、高エネルギーの場における、陽子のラブが１公転で電気の光子を作る変換率＝２．４７１×１０−２２÷軌道＝２．４７１×１０−２２÷（１．２７６×１０−１５ｍ）＝１．９３７×１０−７／ｍの値に等しい。
▲１▼′中性子の陽子のラブの自転の仕事が磁気の光子１個のエネルギーを作ると考える場合。
中性子の陽子のラブの自転の仕事×変換率＝磁気の光子のエネルギー
中性子の陽子のラブの１自転の仕事×変換率＝磁気の光子１個のエネルギー
中性子の陽子のラブのエネルギー×自転軌道×変換率＝磁気の光子１個のエネルギー
６．７９１×１０−９Ｊ×９．２３２×１０−２０ｍ×変換率＝１．２１４×１０−３４Ｊ
変換率＝１．９３６×１０−７／ｍ
この値は、高エネルギーの場における、陽子のラブが１自転で磁気の光子を作る変換率＝２．４７１×１０−２２÷軌道＝２．４７１×１０−２２÷（１．２７６×１０−１５ｍ）＝１．９３７×１０−７／ｍの値に等しい。
▲２▼中性子の陽子のラブの公転の仕事が電気の光子１個の仕事を作ると考える場合。
中性子の陽子のラブの公転の仕事×仕事の変換率＝電気の光子の仕事
中性子の陽子のラブの１公転の仕事×仕事の変換率＝電気の光子１個の仕事
中性子の陽子のラブのエネルギー×３．１４×公転軌道×仕事の変換率＝電気の光子１個のエネルギー×３．１４×公転軌道
６．７９１×１０−９Ｊ×３．１４×１．２７６×１０−１５ｍ×仕事の変換率＝５．２６９×１０−３０Ｊ×３．１４×１．２７６×１０−１５ｍ
仕事の変換率＝７．７５９×１０−２２
▲２▼′中性子の陽子のラブの自転の仕事が磁気の光子１個の仕事を作ると考える場合。
中性子の陽子のラブの自転の仕事×仕事の変換率＝磁気の光子の仕事
中性子の陽子のラブの１自転の仕事×仕事の変換率＝磁気の光子１個の仕事
中性子の陽子のラブのエネルギー×自転軌道×仕事の変換率＝磁気の光子１個のエネルギー×自転軌道
６．７９１×１０−９Ｊ×９．２３２×１０−２０ｍ×仕事の変換率＝１．２１４×１０−３４Ｊ×９．２３２×１０−２０ｍ
仕事の変換率＝１．７８８×１０−２６
▲３▼中性子の陽子のラブのエネルギーが電気の光子１個のエネルギーを作ると考える場合。
中性子の陽子のラブのエネルギー×エネルギーの変換率＝電気の光子のエネルギー
中性子の陽子のラブのエネルギー×エネルギーの変換率＝電気の光子１個エネルギー
６．７９１×１０−９Ｊ×エネルギーの変換率＝５．２６９×１０−３０Ｊ
エネルギーの変換率＝７．７５９×１０−２２
▲３▼′中性子の陽子のラブのエネルギーが磁気の光子１個のエネルギーを作ると考える場合。
中性子の陽子のラブのエネルギー×エネルギーの変換率＝磁気の光子のエネルギー
６．７９１×１０−９Ｊ×エネルギーの変換率＝１．２１４×１０−３４Ｊ
エネルギーの変換率＝１．７８８×１０−２６
▲４▼性子の陽子のラブの軌道エネルギーが電気の光子１個の軌道エネルギーを作ると考える場合。
中性子の陽子のラブの軌道エネルギー×軌道エネルギーの変換率＝電気の光子の軌道エネルギー
中性子の腸子のラブのエネルギー×公転軌道×軌道エネルギーの変換率＝電気の光子１個のエネルギー×公転軌道
６．７９１×１０−９Ｊ×１．２７６×１０−１５ｍ×軌道エネルギーの変換率＝５．２６９×１０−３０Ｊ×１．２７６×１０−１５ｍ
軌道エネルギーの変換率＝７．７５９×１０−２２
▲４▼′中性子の陽子のラブの自転の軌道エネルギーが磁気の光子１個の軌道エネルギーを作ると考える場合。
中性子の陽子のラブの自転の軌道エネルギー×軌道エネルギーの変換率＝磁気の光子の軌道エネルギー
中性子の陽子のラブのエネルギー×自転軌道×軌道エネルギーの変換率＝磁気の光子１個のエネルギー×自転軌道
６．７９１×１０−９Ｊ×９．２３２×１０−２０ｍ×軌道エネルギーの変換率＝１．２１４×１０−３４Ｊ×９．２３２×１０−２０ｍ
軌道エネルギーの変換率＝１．７８８×１０−２６
○従って、中性子の陽子のラブが電気の光子を作る場合、変換率は仕事の変換率＝エネルギーの変換率＝軌道エネルギーの変換率＝７．７５９×１０−２２です。
中性子の陽子のラブが磁気の光子を作る場合、変換率は仕事の変換率＝エネルギーの変換率＝軌道エネルギーの変換率＝１．７８８×１０−２６です。
この値は、陽子のラブが電気の光子を作る場合の変換率定数７．７６×１０−２２に等しい。
陽子のラブが磁気の光子を作る場合の変換率定数１．７８８×１０−２６に等しい。
この事によって、今回求めた中性子の陽子のラブの性質は正しいことが立証された。
中性子の電子のラブと中性子の陽子のラブの性質を表にする。
2007236186.tif 000004
2007236186.tif 000005
１０．  １原子が作る引力と成る磁気の光子のエネルギーは、どうして９．２７×１０６自転でできるか。引力発生の原理。
これは、２００６年１１月１５日に提出した特許願の「請求項１９」の再考察です。
電子のラブが１自転で作る磁気の光子１個のエネルギーは、１．５４９×１０−４９Ｊｍ÷公転軌道です。陽子のラブが１自転で作る磁気の光子１個のエネルギーは、１．５４９×１０−４９Ｊｍ÷公転軌道です。
電子のラブが作った磁気の光子１個と、陽子のラブが作った磁気の光子１個は、公転軌道が等しくなると同じエネルギーに成り、回転方向が反対なので相殺します。
１秒間に電子のラブが作る磁気の光子は（７．９６×１０７）３個で、１秒間に陽子のラブが作る磁気の光子は（４．３４×１０４）２×７．９６×１０７個ですから、相殺されずに残る磁気の光子は、１秒間に、（７．９６×１０７）３個：（４．３４×１０４）２×７．９６×１０７個＝３．３６４×１０６：１です。
１秒間に３．３６４×１０６個の磁気の光子が残り、これが引力と成る。
例えば、地上において、電子のラブが１自転で作る磁気の光子１個のエネルギーは、１．４６４×１０−３９Ｊです。陽子のラブが１自転で作る磁気の光子１個のエネルギーは、２．６８１×１０−３６Ｊです。
陽子のラブが作った電気の光子の軌道が１８３４倍となり、電子のラブの軌道になると、陽子のラブが作った磁気の光子１個のエネルギーは、１８３４分の１に成り、
１．４６４×１０−３９Ｊ×１８３４＝２．６８５×１０−３６Ｊに成ります。
陽子のラブが作った磁気の光子１個のエネルギーと、電子のラブが作った磁気の光子１個のエネルギーは同じになります。自転方向は反対です。それで相殺する。
相殺されず残る磁気の光子は、１秒間に３．３６４×１０６個です。これが引力に成る。
１１．  どうして熱と成る電気の光子のエネルギーは、電子のラブが３．０６７×１０１０公転でできるのか。熱発生の原理。
電子のラブが１公転で作る電気の光子１個のエネルギーは１．１６３×１０−３１Ｊです。陽子のラブが１公転で作る電気の光子１個のエネルギーは１．１６３×１０−３１Ｊです。公転方向は反対です。それで、電子のラブが１公転で作る電気の光子１個と、陽子のラブが１公転で作る電気の光子１個は相殺する。
１束のうち相殺されず残る電気の光子は、
７．９６×１０７：４．３４×１０４＝１８３４：１で、
電子のラブが作った１８３４個の電気の光子です。
１秒間に残る電気の光子は、１８３４個×７．９６×１０７束＝１．４６×１０１１個です。
よって、熱となる電気の光子は、電子のラブが作った１．４６×１０１１個の電気の光子です。
【発明の効果】
【０００６】この発明によって、次の事が理解できた。
１．電子のラブが電気の光子１個を作る変換率＝仕事の変換率＝エネルギーの変換率＝軌道エネルギーの変換率＝１．４２３×１０−１８＝一定であり、これは、電子のラブが電気の光子１個を作る変換率定数です。
２．電子のラブが磁気の光子１個を作る変換率＝仕事の変換率＝エネルギーの変換率＝軌道エネルギーの変換率＝１．７８８×１０−２６＝一定であり、これは、電子のラブが磁気の光子１個を作る変換率定数です。
３．陽子のラブが電気の光子１個を作る変換率＝仕事の変換率＝エネルギーの変換率＝軌道エネルギーの変換率＝７．７６×１０−２２＝一定であり、これは、陽子のラブが電気の光子１個を作る変換率定数です。
４．陽子のラブが磁気の光子１個を作る変換率＝仕事の変換率＝エネルギーの変換率＝軌道エネルギーの変換率＝１．７８８×１０−２６＝一定であり、これは、陽子のラブが磁気の光子１個を作る変換率定数です。
５．電子のラブが１自転で作る磁気の光子１個のエネルギー＝１．５４９×１０−４９Ｊｍ÷公転軌道です。陽子のラブが１自転で作る磁気の光子１個のエネルギー＝１．５４９×１０−４９Ｊｍ÷公転軌道です。中性子の電子のラブの公転軌道と陽子のラブの公転軌道は等しいので、１自転でできる磁気の光子１個のエネルギーは等しい。自転方向は反対です。それで相殺する。
１公転するとき相殺されず残る磁気の光子の数は、
７．９６×１０７回：４．３４×１０４回＝１．８３４×１０３：１です。
１束で、１．８３４×１０３個×４．３４×１０４公転＝７．９６×１０７個です。
この磁気の光子のエネルギーが中性子の磁気モーメントになる。
６．１束で７．９６×１０７個の磁気の光子のエネルギーは中性子の磁気の光子のエネルギーですから、１個の磁気の光子のエネルギーは、９．６６２×１０−２７Ｊ÷（７．９６×１０７個）＝１．２１４×１０−３４Ｊです。この事から、中性子の陽子のラブの性質と、中性子の電子のラブの性質を知る。
７．中性子の電子のラブが電気の光子を作る場合、変換率は１．４２３×１０−１８です。
中性子の電子のラブが磁気の光子を作る場合、変換率は１．７８８×１０−２６です。
この値は、電子のラブが電気の光子を作る場合の変換率定数１．４２３×１０−１８に等しい。
電子のラブが磁気の光子を作る場合の変換率定数１．７８８×１０−２６に等しい。
この事によって、今回求めた中性子の電子のラブの性質は正しいことが立証された。
８．中性子の陽子のラブが電気の光子１個を作る場合、変換率は７．７５９×１０−２２です。
中性子の陽子のラブが磁気の光子１個を作る場合、変換率は１．７８８×１０−２６です。
この値は、陽子のラブが電気の光子１個を作る場合の変換率定数７．７６×１０−２２に等しい。
陽子のラブが磁気の光子１個を作る場合の変換率定数１．７８８×１０−２６に等しい。
この事によって、今回求めた中性子の陽子のラブの性質は正しいことが立証された。
９．電子のラブが１自転で作る磁気の光子１個のエネルギーは、１．５４９×１０−４９Ｊｍ÷公転軌道です。陽子のラブが１自転で作る磁気の光子１個のエネルギーは、１．５４９×１０−４９Ｊｍ÷公転軌道です。電子のラブが作った磁気の光子１個と、陽子のラブが作った磁気の光子１個は、公転軌道が等しくなると同じエネルギーに成り、自転方向が反対なので相殺します。
相殺されずに残る磁気の光子は、１秒間に、（７．９６×１０７）３個：（４．３４×１０４）２×７．９６×１０７個＝３．３６４×１０６：１です。
１秒間に３．３６４×１０６個の磁気の光子が残り、これが引力と成る。
１０．電子のラブが１公転で作る電気の光子１個のエネルギーと、陽子のラブが１公転で作る電気の光子１個のエネルギーは１．１６３×１０−３１Ｊで等しい。公転方向は反対です。それで相殺する。
１束のうち相殺されず残る電気の光子は、７．９６×１０７：４．３４×１０４＝１８３４：１で、電子のラブが作った１８３４個の電気の光子です。
１秒間に残る電気の光子は、１８３４個×７．９６×１０７束＝１．４６×１０１１個です。これが熱のエネルギーと成る。
【図面の簡単な説明】
【０００７】
【図１】電子のラブが１自転で作る磁気の光子１個のエネルギー＝１．５４９×１０−４９Ｊｍ÷公転軌道です。陽子のラブが１自転で作る磁気の光子１個のエネルギー＝１．５４９×１０−４９Ｊｍ÷公転軌道です。中性子の電子のラブの公転軌道と陽子のラブの公転軌道は等しいので、１自転でできる磁気の光子１個のエネルギーは等しい。自転方向は反対です。それで相殺する。１公転するとき相殺されず残る磁気の光子の数は、７．９６×１０７回：４．３４×１０４回＝１．８３４×１０３：１です。１束で、１．８３４×１０３個×４．３４×１０４公転＝７．９６×１０７個です。この磁気の光子のエネルギーが中性子の磁気モーメントになる。１個の磁気の光子のエネルギーは、９．６６２×１０−２７Ｊ÷（７．９６×１０７個）＝１．２１４×１０−３４Ｊです。
【図２】中性子の電子のラブの自転軌道は、５．０３５×１０−２３ｍです。中性子の陽子のラブの自転軌道は、９．２３２×１０−２０ｍです。公転軌道は、１．２７６×１０−１５ｍです。
【図３】電子のラブが１自転で作る磁気の光子１個のエネルギーは、１．５４９×１０−４９Ｊｍ÷公転軌道です。陽子のラブが１自転で作る磁気の光子１個のエネルギーは、１．５４９×１０−４９Ｊｍ÷公転軌道です。電子のラブが作った磁気の光子１個と、陽子のラブが作った磁気の光子１個は、公転軌道が等しくなると同じエネルギーに成り、自転方向が反対なので相殺します。相殺されずに残る磁気の光子は、１秒間に、（７．９６×１０７）３個：（４．３４×１０４）２×７．９６×１０７個＝３．３６４×１０６：１です。１秒間に３．３６４×１０６個の磁気の光子が残り、これが引力と成る。
【図４】電子のラブが１公転で作る電気の光子１個のエネルギーと、陽子のラブが１公転で作る電気の光子１個のエネルギーは１．１６３×１０−３１Ｊで等しい。公転方向は反対です。それで相殺する。１束のうち相殺されず残る電気の光子は、７．９６×１０７公転：４．３４×１０４公転＝１８３４：１で、電子のラブが作った１８３４個（公転）の電気の光子です。１秒間に残る電気の光子は、１８３４個×７．９６×１０７束＝１．４６×１０１１個です。これが熱のエネルギーと成る。
【符号の説明】
【０００７】１  中性子の電子のラブ
２  中性子の陽子のラブ
３  中性子の電子のラブが作った磁気の光子
４  中性子の陽子のラブが作った磁気の光子
５  中性子の電子のラブと陽子のラブの公転軌道
６  電子のラブ
７  陽子のラブ
８  電子のラブが作った磁気の光子
９  陽子のラブが作った磁気の光子
１０  電子のラブが作った電気の光子
１１  陽子のラブが作った電気の光子
【図１】
2007236186.tif 000009
【図２】
2007236186.tif 000010
【図３】
2007236186.tif 000011
【図４】
2007236186.tif 000012